(57)【要約】【課題】  電子機器の外部接続端子を省スペースに配置する。【解決手段】  被写体像を撮影する略円筒形のレンズ鏡筒と、電池を収納する略直方体の電池収納部を隣接して配置し、間に生じる空間部に、装置底面へ向けて開口部を有する外部接続端子を設ける。端子はスペースをより有効活用できる様にレンズ鏡筒の撮像光軸と平行な方向に直線状に配置し、さらに端子の奥に電池収納部へ通じる空洞を設けて端子部に溜まりやすいゴミや異物を、電池収納部を通じて外へ排出しやすくする。【選択図】  図１
2009288641.tif 000002
【特許請求の範囲】
【請求項１】
被写体像を撮影するレンズ鏡筒を有する撮像装置において、
該撮像装置右側に円筒形の該レンズ鏡筒を配置し、該撮像装置左側に電池を収納する直方体の電池収納部を配置すると共に、
該レンズ鏡筒と該電池収納部と該撮像装置底面に隣接する空間部に、該撮像装置底面へ向けて開口部を有する外部接続端子を設け、
該外部接続端子は、該レンズ鏡筒の撮像光軸と平行な方向に直線状に配置された複数の端子部により構成されることを特徴とする撮像装置。
【請求項２】
該外部接続端子を有する該空間部は、
隣接する該電池収納部に向けて空洞が空いていること
を特徴とする請求項1に記載の撮像装置。
【発明の詳細な説明】
【技術分野】
【０００１】
本発明は外部接続端子を有する撮像装置などの電子機器に関するものである。
【背景技術】
【０００２】
従来より、小型軽量の電子機器には、外部機器やアクセサリ類と電気的に接続可能なものが多い。
【０００３】
これは、たとえばカメラの様に、標準の一般的な撮影行動を行なう際には機器内部に最小限の機能だけ持たせて軽量小型化を図りながら、必要に応じて各種アクセサリやパソコンあるいは充電装置に接続させて電力や情報の授受を可能にし、システムとしての広がりを持たせる上で欠かせない機能である。
【０００４】
第一の従来例として、カメラ本体にグリップ形状をしたアクセサリユニットを接続可能なカメラシステムの従来例を図１２に示す（特許文献１参照）。これは、通常はカメラ単体のみをコンパクトに携帯でき、また必要時には電源やメモリ機能を持つグリップ形アクセサリを接続することによって、カメラ単体での機能を上回る記録容量や電源電力を得られるものである。
【０００５】
１０１はカメラ本体で、１０２はレンズ鏡筒である。カメラ本体１０１は略直方体形状を成し、底面にアクセサリユニットを取り付けるネジ穴部１０３が設けられ、その周囲を取り巻く様に複数の外部接続端子１０４が円周状に並んでいる。また１０５は位置決め穴である。ここにアクセサリユニット１０６の位置決めピン１０７が嵌合する様に取り付け、ネジ１０８を締め付け固定する。すると複数の接続ピン１０９が複数の外部接続端子１０４に接続され、カメラ本体１０１とアクセサリユニット１０６との間で、電源電力や画像信号の授受が可能となる。
【０００６】
次に第二の従来例として、カメラ本体を搭載するスタンドユニットをもつカメラシステムの従来例を図１３に示す（特許文献２参照）。これは、パソコンやＡＣ電源に接続される据え置き型のスタンドユニットで、ここに撮影し終わったカメラを搭載することにより、スタンドユニットを介してパソコンとの画像データ授受を行ない、あるいはＡＣ電源を変換してカメラへの充電を行なうことができるものである。
【０００７】
２０１はカメラ本体、２０２はレンズ鏡筒である。カメラ本体２０１は略直方体形状を成し、底面に位置決め穴２０３が設けられ、その横に、直方体形状の長手方向に沿って複数の外部接続端子２０４が直線状に並んでいる。また位置決め穴２０３をはさんで反対側には、同じく直方体形状の長手方向に電源受電部２０５が設けられている。これを、スタンドユニット２０６の位置決めピン２０７が嵌合する様に取り付ける。すると、カメラ本体２０１の自重で複数の接続ピン２０８が複数の外部接続端子２０４に接続され、カメラ本体２０１とスタンドユニット２０６との間で、画像信号などの授受が可能となる。またスタンドユニット２０６に設けた電源送電部２０９が電源受電部２０５に相対し、端子接続式あるいは電磁誘導方式などの手段により、スタンドユニット２０６からカメラ本体２０１の内臓電池へ充電を行なうことができる。
【特許文献１】特開２０００−３５００７３号公報（第８頁、図１、図２）
【特許文献２】特開２００３−１８９１４６号公報（第１４頁、図７）
【発明の開示】
【発明が解決しようとする課題】
【０００８】
特許文献１の方式は、カメラ本体下面に設けた外部接続端子はネジ穴部を中心とした円周上に広く配設されており、スペース効率が良くない。
【０００９】
また特許文献2の方式は、外部接続端子の配置はカメラ本体下面だが、撮像光軸と直交する方向へ延びる様に配置されており、同様にスペース効率が良くない。
【００１０】
またいずれの場合も、機器単体での操作やアクセサリユニットとの着脱を通じて外部接続端子部に進入付着するゴミや異物については、特に対処がなされていない。
【００１１】
本発明はこの様な状況を背景に、機器本体に占める端子部分のスペース効率がよく、端子部を清潔に維持メンテナンスしやすい外部接続端子をもつ電子機器を発明するものである。
【課題を解決するための手段】
【００１２】
上記の課題を解決するために、本出願における第１の発明では、
被写体像を撮影するレンズ鏡筒を有する撮像装置において、
該撮像装置右側に円筒形の該レンズ鏡筒を配置し、該撮像装置左側に電池を収納する直方体の電池収納部を配置すると共に、
該レンズ鏡筒と該電池収納部と該撮像装置底面に隣接する空間部に、該撮像装置底面へ向けて開口部を有する外部接続端子を設け、
該外部接続端子は、該レンズ鏡筒の撮像光軸と平行な方向に直線状に配置された複数の端子部により構成されること、
を特徴とする。
【００１３】
さらに本出願における第２の発明では、第１の発明に加えて、
該外部接続端子を有する該空間部は、
隣接する該電池収納部に向けて空洞が空いていること、
を特徴とする。
【発明の効果】
【００１４】
以上の構成により、本出願における第１の発明では、
レンズ鏡筒と電池収納部の間に生じる余剰スペースを利用して、より多くの外部接続端子をスペース効率よく配置することができる。
【００１５】
さらに本出願における第２の発明では、
外部接続端子を配置した空間部にゴミや異物が進入しても、それを隣接する電池収納部に向けて排除して掃除しやすくすることができる。
【発明を実施するための最良の形態】
【００１６】
次に、本発明の詳細を実施例の記述に従って説明する。
【実施例１】
【００１７】
図１に、本発明の第一実施例による電子機器（カメラ）システムの外観図を示す。これは、前述した従来例と同様に、パソコンやＡＣ電源に接続される据え置き型のスタンドユニットを含むカメラシステムで、撮影し終わったカメラ本体１をスタンドユニット１８に搭載することにより、スタンドユニットを介してパソコンとの画像データ授受を行ない、またＡＣ電源を変換してカメラへの充電を行なうことができるものである。
【００１８】
まず、図２にてカメラ本体１について説明する。２はカメラ本体１に組み込まれているレンズ鏡筒である。また３はカメラ本体に着脱可能な電池、４は電池３を収納する電池収納部、５は電池収納部４の入口を開閉する蓋である。
【００１９】
次に、図３にてレンズ鏡筒２の概略構造を説明する。レンズ鏡筒２は、いわゆるリアフォーカスタイプのレンズユニットで、ベース６と、その先端にネジ止め固定される固定筒７によって、基本の構造体を形成する。８は固定筒７の外周部に設けた駆動環で、モーター９からギア列１０を介して駆動環８のギア部８ａを駆動されて回転し、固定筒７に設けたカム溝によって1群鏡筒１１および２群鏡筒１２を光軸方向に移動させてズーム倍率を可変させ、別途設けたステップモーター１３によって３群鏡筒１４を移動しフォーカス調節するものである。つまり、カメラ本体１の内部におけるレンズ鏡筒２は、モーター９等の必要な突起部を除くと、基本的には駆動環８を主体とした略円筒形の占有スペースとなっている。
【００２０】
また、図４にて電池収納部４の概略構造を説明する。３はこの電池収納部４に収納する電池で、略直方体を成し、先端面３ａに電極部３ｂを有している。電池収納部４はこの電池３を収納し、蓋５を閉じた状態で電極部３ｂに接する端子部４ａを有している。つまり、カメラ本体１の内部における電池収納部４は、必要な突起部を除くと、全体としてレンズ鏡筒２の左側に隣接した略直方体の占有スペースとなっている。
【００２１】
したがって、レンズ鏡筒２と電池収納部４とを最も効率よくカメラ本体１の内部に収納させても、図５に示すカメラ本体１の断面図の様に、隣接するのはカメラ本体１の中央部分のみで、底面寄りには空間１５の空きスペースが生じる。この空間１５は、カメラ本体１の厚さＬ全体（図２）にわたっている。
【００２２】
次に図６にて端子ユニット１７を説明する。端子ユニット１７は、前述した空間１５に配置される様、レンズ鏡筒２の光軸方向に沿った略直方体形状を成しており、カメラ本体１の底面に設けた開口１ａから、複数の外部接続端子１７ａが直線状に並んで表出している。その長さは、カメラ本体１の厚さＬより短く設定してあるため、前述の空間１５に収めることができ、レンズ鏡筒２および電池収納部４の占有スペースを邪魔しないですむ。図７はその断面形状で、樹脂凹部１７ｂの内側に複数の外部接続端子１７ａが相対して設けられたものが、前述の様に光軸方向に沿って直線状に並んでいる。また、１ｂはネジ穴部で、通常は一般のカメラと同様に、三脚台を使用してカメラ本体１を固定する際などに使用するものである。
【００２３】
続いて、スタンドユニット１８について説明する（図１）。前述の様に、スタンドユニットはカメラ本体１を搭載してデータや電源を授受するためのもので、１８ａはカメラ本体１の底面部を保持できる形状に成された搭載部である。ここにカメラ本体１を搭載すると、カメラ本体１の底面に設けた端子ユニット１７に相対する個所に、電極ユニット１９が設けてある。図８は電極ユニット１９の詳細図で、複数の電極端子１９ａが直線状に並んで表出している。図９はその断面形状で、樹脂凸部１９ｂの両面にバネ性を持たせた複数の電極端子１９ａが相対して設けられたものが、前述の様に光軸方向に沿って直線状に並んでおり、前述の端子ユニット１７に結合して、複数の外部接続端子１７ａと複数の電極端子１９ａが接触する様に構成してある。また、１８ｂは位置決めダボで、カメラ本体１のネジ穴部１ｂに挿入されて、カメラ本体１をスタンドユニット１８に対して位置決めするためのものである。
【００２４】
本発明の実施例による電子機器（カメラ）は以上の様に構成されている。したがって、カメラ本体１をスタンドユニット１８に搭載すると、位置決めダボ１８ｂがネジ穴部１ｂに挿入されて、カメラ本体１はスタンドユニット１８に対して適正に位置決めされ、カメラ本体１の自重によって端子ユニット１７の樹脂凹部１７ｂに電極ユニット１９の樹脂凸部１９ｂが挿入され、複数の外部接続端子１７ａが複数の電極端子１９ａに接続し、カメラ本体１とスタンドユニット１８との間でデータ等の授受が可能となる。
【実施例２】
【００２５】
次に、本発明の第二実施例による電子機器（カメラ）システムの外観図を示す。これは、前述した第一実施例に対し、端子ユニットを有する空間部に、隣接する該電池収納部に向けて空洞を設けたものである。まず、外観は図１の第一実施例と同様で、２１はカメラ本体、２はカメラ本体２１に組み込まれているレンズ鏡筒、３は電池、５は蓋である。
【００２６】
レンズ鏡筒２の概略構造は第一実施例と同様である。次に図１０にて電池収納部２２の概略構造を説明すると、これも第一実施例と同様に、全体としてレンズ鏡筒２の左側に隣接した略直方体のスペースとなっており、図１１の様に隣接するレンズ鏡筒２の間に空間２３が、カメラ本体２１の厚さＬ全体にわたって生じている。そして、空間２３には第一実施例と同様に、端子ユニット１７が配置されている。
【００２７】
また、第一実施例とは異なり、電池収納部２２と空間２３の間の壁面２２ａに穴２２ｂを設けている。これは、カメラ本体２１の底面に設けた開口部２１ａから侵入した細かいゴミや異物を掃除するためのものである。掃除する際には、開口部２１ａから空間２３の内部に向けて、ブロアーブラシ等で風圧を加えたり、細かい綿棒等でつついて、穴２２ｂを通してゴミや異物を電池収納部２２の中へ移動させれば、蓋５を開いて電池収納部２２の入口からゴミや異物を容易に排出させることができる。
【図面の簡単な説明】
【００２８】
【図１】電子機器（カメラ）システムの外観図。
【図２】カメラ本体１について説明する斜視図。
【図３】レンズ鏡筒の概略構造。
【図４】電池収納部の概略構造。
【図５】カメラ本体の断面形状。
【図６】端子ユニットの詳細図。
【図７】端子ユニットの断面形状。
【図８】電極ユニットの詳細図。
【図９】電極ユニットの断面形状。
【図１０】電池収納部の概略構造。
【図１１】カメラ本体の断面形状。
【図１２】従来例によるカメラシステムの外観図。
【図１３】従来例によるカメラシステムの外観図。
【符号の説明】
【００２９】
１  カメラ本体
１ａ  開口部
１ｂ  ネジ穴部
２  レンズ鏡筒
３  電池
３ａ  先端面
３ｂ  電極部
４  電池収納部
４ａ  端子部
５  蓋
６  ベース
７  固定筒
８  駆動環
８ａ  ギア部
９  モーター
１０  ギア列
１１  １群鏡筒
１２  ２群鏡筒
１３  ステップモーター
１４  ３群鏡筒
１５  空間
１７  端子ユニット
１７ａ  複数の外部接続端子
１７ｂ  樹脂凹部
１８  スタンドユニット
１８ａ  搭載部
１８ｂ  位置決めダボ
１９  電極ユニット
１９ａ  複数の電極端子
１９ｂ  樹脂凸部
２１  カメラ本体
２１ａ  開口部
２２  電池収納部
２２ａ  壁面
２２ｂ  穴
２３  空間
１０１  カメラ本体
１０２  レンズ鏡筒
１０３  ネジ穴部
１０４  複数の外部接続端子
１０５  位置決め穴
１０６  アクセサリユニット
１０７  位置決めピン
１０８  ネジ
１０９  複数の接続ピン
２０１  カメラ本体
２０２  レンズ鏡筒
２０３  位置決め穴
２０４  複数の外部接続端子
２０５  電源受電部
２０６  スタンドユニット
２０７  位置決めピン
２０８  複数の接続ピン
２０９  電源送電部
【図１】
2009288641.tif 000003
【図２】
2009288641.tif 000004
【図３】
2009288641.tif 000005
【図４】
2009288641.tif 000006
【図５】
2009288641.tif 000007
【図６】
2009288641.tif 000008
【図７】
2009288641.tif 000009
【図８】
2009288641.tif 000010
【図９】
2009288641.tif 000011
【図１０】
2009288641.tif 000012
【図１１】
2009288641.tif 000013
【図１２】
2009288641.tif 000014
【図１３】
2009288641.tif 000015